(57)【要約】【課題】複数のアプリケーションソフトに対応したウィンドウを表示画面に表示するのにあたり、互いに重ならないようにあらかじめ設定された所定の表示エリアに配列するマルチウインドウ表示装置を提供すること。【解決手段】複数のアプリケーションソフトに対応した各ウィンドウを表示画面に表示するように構成されたマルチウインドウ表示装置において、前記複数のアプリケーションソフトに対応した各ウィンドウを、互いに重ならないようにあらかじめ設定された所定の表示エリアに配列するウインドウ画面位置制御手段を設けたことを特徴とするもの。【選択図】                    図１
2011248489.tif 000002
【特許請求の範囲】
【請求項１】
複数のアプリケーションソフトに対応した各ウィンドウを表示画面に表示するように構成されたマルチウインドウ表示装置において、
前記複数のアプリケーションソフトに対応した各ウィンドウを、互いに重ならないようにあらかじめ設定された所定の表示エリアに配列するウインドウ画面位置制御手段を設けたことを特徴とするマルチウインドウ表示装置。
【請求項２】
前記複数のアプリケーションソフトは、プロセス制御システムの保全管理、生産管理、品質管理および作業手順書のうちの少なくとも２つを含むことを特徴とする請求項１に記載のマルチウインドウ表示装置。
【請求項３】
前記複数のアプリケーションソフトに対応した各ウィンドウのうちの特定画面を他の画面よりも大きく表示することを特徴とする請求項１または請求項２に記載のマルチウインドウ表示装置。
【発明の詳細な説明】
【技術分野】
【０００１】
本発明は、マルチウインドウ表示装置に関し、詳しくは、より高度なプロセス制御システムの運転が行えるマルチウインドウ表示装置に関するものである。
【０００２】
従来から、たとえば特許文献１に記載されているように、コンピュータで構築された電子化ビジネスシステムと電子化製造システムとを統合することが提案されている。
【０００３】
図３は、特許文献１に開示されている電子化ビジネスシステムを電子化製造システムと統合するための従来の技術例を示すブロック図である。図３のシステムでは、電子化ビジネスシステム１００を使用してビジネス機能を電子化する。電子化ビジネスシステム１００は、オーダスケジューリング、インベントリ・トラッキング、品質管理などを含む機能を処理実行する電子化システムとして構築されている。
【０００４】
代表的な電子化ビジネスシステム１００は、受信した顧客オーダに基づく各製品のオーダスケジューリング、製品インベントリーおよび原材料インベントリに関するコンパイリング情報およびその他の情報などの機能を処理実行することができる。インベントリ・トラッキングは、主として消費された材料（または製造に向けられた材料）および製造された製品に関する通信に基づいて処理実行される。またインベントリ・トラッキングは、出荷部から出荷された製品および入荷部に到着した材料に関するレポートに基づいて処理実行される。
【０００５】
電子化製造システム２００はオプションプロセス情報システム２０１（以下プロセス情報システム２０１という）と、リアルタイムプロセス制御システム２０２（以下プロセス制御システム２０２という）とを含む。プロセス情報システム２０１は、製造プロセスの監視や運転操作にあたるオペレータの作業を支援する。プロセス情報システム２０１は少なくとも１つのプロセス制御システム２０２に対するインタフェースとして機能し、プロセス情報システム２０１の機能階層の一部は多重プロセス制御システム２０２に対する標準インタフェースとして機能する。
【０００６】
これら電子化ビジネスシステム１００と電子化製造システム２００は、ヒューマンインタフェース３００を介して結合されている。
【０００７】
ヒューマンインタフェース３００は、たとえば電子化ビジネスシステム１００から製品のワークオーダを受ける。このワークオーダはスケジューリング要求（たとえば納入時期）と結合されている。したがってオペレータは、ヒューマンインタフェース３００を操作してこのワークオーダ情報を電子化製造システム２００に伝送する。
【０００８】
一方、ヒューマンインタフェース３００は、たとえば製造データを、プロセス情報システム２０１から間接に、または反応器および押出器などの製造装置のインタフェースとしてのプロセス制御システム２０２から直接に検索する。オペレータはヒューマンインタフェース３００を操作してこれらのデータを電子化ビジネスシステム１００中の更新インベントリ情報の中に入力する。
【０００９】
図４は、従来のヒューマンインタフェース３００におけるマルチウインドウ表示装置の一例を示すブロック図である。図４において、パソコン３１０には液晶モニタ３２０が接続されている。パソコン３１０内の補助記憶装置３１１には、複数のアプリケーションソフト３１２ａ〜３１２ｄがインストールされている。
【００１０】
オペレータは、必要に応じてこれらのアプリケーションソフト３１２ａ〜３１２ｄを起動し、各アプリケーションソフト３１２ａ〜３１２ｄに対応したウィンドウ３２１ａ〜３２１ｄを液晶モニタ３２０の表示画面に並べて表示する。
【００１１】
このとき、オペレータは、これらのウィンドウ３２１ａ〜３２１ｄが互いに重ならないように、手動で個々のウィンドウを移動させるとともに、個々のウィンドウ３２１ａ〜３２１ｄの大きさを適宜変更する必要がある。
【先行技術文献】
【特許文献】
【００１２】
【特許文献１】特表平９−５０３３２５号公報
【発明の概要】
【発明が解決しようとする課題】
【００１３】
しかし、図４の構成によれば、オペレータは、アプリケーションソフト３１２ａ〜３１２ｄを起動した後、各アプリケーションソフト３１２ａ〜３１２ｄに対応したウィンドウ３２１ａ〜３２１ｄを液晶モニタ３２０の表示画面に並べて表示するのにあたり、個々のウィンドウ３２１ａ〜３２１ｄの位置と大きさを調整しなければならず、これらの調整工数が必要になる。
【００１４】
また、連続運転される製造プロセスの監視や運転操作は、交代制のオペレータにより行われるが、オペレータが交代する毎に液晶モニタ３２０の表示画面上におけるウィンドウ３２１ａ〜３２１ｄの位置と大きさが変わってしまうことがあり、場合によっては重要な表示内容を見過ごしてしまう恐れがある。
【００１５】
本発明は、このような従来の問題点に着目したものであり、その目的は、複数のアプリケーションソフトに対応したウィンドウを表示画面に表示するのにあたり、互いに重ならないようにあらかじめ設定された所定の表示エリアに配列するマルチウインドウ表示装置を提供することにある。
【課題を解決するための手段】
【００１６】
このような課題を達成する請求項１の発明は、
複数のアプリケーションソフトに対応した各ウィンドウを表示画面に表示するように構成されたマルチウインドウ表示装置において、
前記複数のアプリケーションソフトに対応した各ウィンドウを、互いに重ならないようにあらかじめ設定された所定の表示エリアに配列するウインドウ画面位置制御手段を設けたことを特徴とする。
【００１７】
請求項２の発明は、請求項１に記載のマルチウインドウ表示装置において、
前記複数のアプリケーションソフトは、プロセス制御システムの保全管理、生産管理、品質管理および作業手順書のうちの少なくとも２つを含むことを特徴とする。
【００１８】
請求項３の発明は、請求項１または請求項２に記載のマルチウインドウ表示装置において、
前記複数のアプリケーションソフトに対応した各ウィンドウのうちの特定画面を他の画面よりも大きく表示することを特徴とする。
【発明の効果】
【００１９】
これらにより、複数のアプリケーションソフトに対応した各ウィンドウは、互いに重なることなく所定の表示エリアに配列表示されるのでオペレータの視認性が改善でき、高度なプロセス制御システムの運転に適したマルチウインドウ表示装置を実現できる。
【図面の簡単な説明】
【００２０】
【図１】本発明の一実施例を示すブロック図である。
【図２】本発明の他の実施例を示す表示画面例図である。
【図３】従来の技術例を示すブロック図である。
【図４】従来のヒューマンインタフェース３００におけるマルチウインドウ表示装置の一例を示すブロック図である。
【発明を実施するための最良の形態】
【００２１】
以下、本発明について、図面を用いて説明する。図１は、本発明に係るマルチウインドウ表示装置の一実施例を示すブロック図である。図１において、パソコン３３０には液晶モニタ３４０が接続されている。
【００２２】
パソコン３３０内の補助記憶装置３３１には、プロセス制御システムに関連した複数のアプリケーションソフト３３２ａ〜３３２ｄがインストールされていて、たとえば、
アプリケーションソフト３３２ａ：保全管理ソフト
アプリケーションソフト３３２ｂ：生産管理ソフト
アプリケーションソフト３３２ｃ：品質管理ソフト
アプリケーションソフト３３２ｄ：作業手順書
とする。
【００２３】
そして、パソコン３３０内の補助記憶装置３３１には、これら複数のアプリケーションソフト３３２ａ〜３３２ｄに対応したウィンドウ３４１ａ〜３４１ｄを液晶モニタ３４０の表示画面に並べて表示するのにあたり、互いに重ならないようにあらかじめ設定された所定の表示エリアに配列するウインドウ画面位置制御手段としてのアプリケーションソフト３３３もインストールされている。
【００２４】
アプリケーションソフト３３３は、これら複数のアプリケーションソフト３３２ａ〜３３２ｄに対応したウィンドウ３４１ａ〜３４１ｄに対してそれぞれＩＤ番号を付与するとともに液晶モニタ３４０の表示画面上における表示エリアを具体的に指定するたとえば以下に示すようなテーブルとして構成されている。
アプリケーションソフトウィンドウ      ＩＤ    表示エリア
保全管理ソフトウィンドウ３４１ａ      １      左上
生産管理ソフトウィンドウ３４１ｂ      ２      右上
品質管理ソフトウィンドウ３４１ｃ      ３      左下
作業手順書ウィンドウ３４１ｄ          ４      右下
【００２５】
これら複数のアプリケーションソフト３３２ａ〜３３２ｄが起動されると、各アプリケーションソフト３３２ａ〜３３２ｄに対応したウィンドウ３４１ａ〜３４１ｄは、ウインドウ画面位置制御手段としてのアプリケーションソフト３３３のテーブル設定にしたがって、液晶モニタ３４０の表示画面上の所定の表示エリアに、互いに重ならないようにして配列表示される。
【００２６】
すなわち、図１の実施例では、プロセス制御システムにおける保全管理ソフト３３２ａに対応したウィンドウ３４１ａは左上に表示され、生産管理ソフト３３２ｂに対応したウィンドウ３４１ｂは右上に表示され、品質管理ソフト３３２ｃに対応したウィンドウ３４１ｃは左下に表示され、作業手順書３３２ｄに対応したウィンドウ３４１ｄは右下に表示される。
【００２７】
なお、上記実施例では、液晶モニタ３４０の表示画面上に４種類のアプリケーションソフト３３２ａ〜３３２ｄに対応したウィンドウ３４１ａ〜３４１ｄを大きさの等しい４分割画面として表示する例を示したが、アプリケーションソフトの種類は４種類を増減してもよく、分割画面の大きさはたとえば図２に示すように指定された特定のアプリケーションソフトのウィンドウを他のアプリケーションソフトよりも大きく分割表示するようにしてもよい。
【００２８】
図２において、（Ａ）は保全管理ソフト３３２ａに対応したウィンドウ３４１ａを液晶モニタ３２０の表示画面の上領域に横長に大きく表示して生産管理ソフト３３２ｂと品質管理ソフト３３２ｃと作業手順書３３２ｄに対応したウィンドウ３４１ｂ〜３４１ｄを下領域の横方向に３分割表示した例を示し、（Ｂ）は保全管理ソフト３３２ａに対応したウィンドウ３４１ａを液晶モニタ３４０の表示画面の右領域に大きく表示して生産管理ソフト３３２ｂと品質管理ソフト３３２ｃと作業手順書３３２ｄに対応したウィンドウ３４１ｂ〜３４１ｄをを左領域の縦方向に３分割表示した例を示している。
【００２９】
これにより、注目画面のウィンドウ（たとえば保全管理ソフト）を他の画面のウィンドウ（たとえば生産管理ソフト、品質管理ソフトおよび作業手順書）よりも大きく強調して表示でき、オペレータの監視作業を効率よく遂行できる。
【００３０】
以上説明したように、本発明によれば、複数のアプリケーションソフトに対応したウィンドウを表示画面に表示するのにあたり、互いに重ならないようにあらかじめ設定された所定の表示エリアに配列できることからオペレータの視認性を改善でき、高度なプロセス制御システムの運転に適したマルチウインドウ表示装置を実現できる。
【符号の説明】
【００３１】
３００  ヒューマンインタフェース
３３０  パソコン
３３１  補助記憶装置
３３２  アプリケーションソフト
３３３  ウインドウ画面位置制御アプリケーションソフト
３４０  液晶モニタ
３４１  ウィンドウ
【図１】
2011248489.tif 000003
【図２】
2011248489.tif 000004
【図３】
2011248489.tif 000005
【図４】
2011248489.tif 000006